(57)【要約】【課題】  短い受け部材と長い受け部材の接続作業を簡便に且つ楽にでき、また作業者の熟練度によって接続箇所の水密性や接続強度等に影響が出ることを抑え、安定した一定レベルでの接続を可能にする。【解決手段】  浴槽１の短幅方向のフランジ部１ａを受ける真直ぐな棒状の一対の短い受け部材２と、浴槽１の長手方向のフランジ部１ｂを受ける真直ぐな棒状の長い受け部材３とを、コーナー部材８を介して平面視で略コの字形に連結する。コーナー部材８は、各部材２、３の長手方向と直交する方向の端面が突き合わされる当接面８ａを、平面視で９０度隔てて備えている。【選択図】      図１
2010273932.tif 000002
【特許請求の範囲】
【請求項１】
浴槽の短幅方向のフランジ部を受ける真直ぐな棒状の一対の短い受け部材と、浴槽の長手方向のフランジ部を受ける真直ぐな棒状の長い受け部材とが、平面視で略コの字形に連結されてなる浴槽受け部材であって、上記の短い受け部材と長い受け部材がコーナー部材を介して連結され、このコーナー部材が、上記の各部材の長手方向と直交する方向の端面が突き合わされる当接面を、平面視で９０度隔てて備えていることを特徴とする浴槽受け部材。
【請求項２】
請求項１記載の浴槽受け部材であって、コーナー部材の当接面が、平面視で鉤形状に隣り合わせに形成されると共に、当接面同士の間の垂直状の境界線を基準にして左右対称状に形成されていることを特徴とする浴槽受け部材。
【請求項３】
請求項１又は２記載の浴槽受け部材であって、短い受け部材と長い受け部材が、縦断面の横幅は略同一で、縦幅が、長い受け部材より短い受け部材の方が短く形成されていることを特徴とする浴槽受け部材。
【請求項４】
請求項１乃至３の何れかに記載の浴槽受け部材であって、コーナー部材の各当接面に、短い受け部材と長い受け部材が嵌合可能に形成されていることを特徴とする浴槽受け部材。
【請求項５】
請求項４記載の浴槽受け部材であって、コーナー部材の各当接面に、嵌合用の突起部が左右一対形成され、この突起部に嵌め合わされる段差部が、短い受け部材と長い受け部材の対応位置に形成されていることを特徴とする浴槽受け部材。
【請求項６】
請求項１乃至５の何れかに記載の浴槽受け部材であって、短い受け部材と長い受け部材とコーナー部材に、側壁パネルを載せるための壁載せ部が連通状に形成されると共に、コーナー部材の壁載せ部に、側壁パネルと係合する凸部が形成されていることを特徴とする浴槽受け部材。
【発明の詳細な説明】
【技術分野】
【０００１】
本発明は、浴槽受け部材に関し、更に詳しくは浴槽のフランジ部を受けるため浴槽のフランジ部の高さの浴室位置に設置される浴槽受け部材に関するものである。
【背景技術】
【０００２】
従来この種の受け部材としては、例えば特許文献１に記載されているものがある。
この従来品は、押し出し成形した長尺体を長短二種類にカットし、浴槽の短幅方向のフランジ部を受ける一対の短い受け部材と、浴槽の長手方向のフランジ部を受ける長い受け部材とに形成し、これらの３本の部材を水平面上において直角に接続して略コの字形に形成しているものである。
【０００３】
而して、この種の分割式の従来品は、当初から枠形に形成されている場合に比べ、梱包や現場への搬入が容易になり、また押し出し成形で長短二種類の部材を形成するため、各部材の成形コストも、プレス金型を使用する場合に比べ低廉化できる、という利点がある。
【０００４】
しかしながら、文献１に記載の従来品の場合は、長尺体の端部を平面視で４５度の斜めにカットし、この端部同士を接着等の手段で連結する構造であった。
従ってこの従来品によると、作業者の熟練度で長短二種類の部材の連結作業に差が生じるのを避けられず、接続箇所の水密性や接続強度等にバラツキが生じ易い、という問題点があった。
【先行技術文献】
【特許文献】
【０００５】
【特許文献１】特開平１１−１３７４７０号公報
【発明の概要】
【発明が解決しようとする課題】
【０００６】
本発明は、このような従来品の問題点に鑑み、提案されたものである。
従って本発明の解決しようとする技術的課題は、長短二種類の部材が略コの字形に連結されてなる浴槽受け部材において、短い受け部材と長い受け部材の接続作業を簡便に且つ楽にでき、また作業者の熟練度によって接続箇所の水密性や接続強度等に影響が出ることを抑え、安定した一定レベルでの接続が可能になるよう形成した浴槽受け部材を提供することにある。
【課題を解決するための手段】
【０００７】
本発明は、上記の課題を解決するため、次のような技術的手段を採る。
即ち本発明は、図１等に示されるように、浴槽１の短幅方向のフランジ部１ａを受ける真直ぐな棒状の一対の短い受け部材２と、浴槽１の長手方向のフランジ部１ｂを受ける真直ぐな棒状の長い受け部材３とが、平面視で略コの字形に連結されてなる浴槽受け部材であって、上記の短い受け部材２と長い受け部材３がコーナー部材８を介して連結され、このコーナー部材８が、上記の各部材２、３の長手方向と直交する方向の端面が突き合わされる当接面８ａを、平面視で９０度隔てて備えていることを特徴とする（請求項１）。
【０００８】
ここで、平面視で９０度隔てて、とは、当接面８ａを平面視で９０度違えた位置に計２面有している、ということを意味する。従って本発明の場合、当接面８ａは、例えば図９Ａに示されるように、面取りされた傾斜面８ｃを介して９０度隔てて形成されたり、或いは同図Ｂに示されるように、腕状に突き出された箇所８ｄ、８ｄの先端面に形成されているのでも良い。またこの当接面８ａは、形状や大きさが異なる状態に形成されているのでも良い。
【０００９】
而してこの場合、コーナー部材８の当接面８ａは、図１Ｂに示されるように、平面視で鉤形状に隣り合わせに形成されると共に、当接面８ａ同士の間の垂直状の境界線９を基準にして左右対称状に形成されているのが好ましい（請求項２）。
なぜならこれによると、１種類のコーナー部材８を２箇所のコーナーで共用でき、その分、コストを低廉化できるだけではなく、コーナー部材８自体を小型化、省スペース化できるからである。
【００１０】
而して、この種の受け部材の場合、短い受け部材２は、長い受け部材３より寸法が短い分だけ撓みにくいものである（これは、従来、短い受け部材２には側壁パネル１４（図２参照）が１枚載せられ、長い受け部材３には側壁パネル１４が直列状に２枚載せられ、荷重をコーナー部分のみで支持している、という載置される壁の重さの違いにもよる）。従って形成材料が同じ場合は、通常、短い受け部材２と長い受け部材３は、縦断面形状が同じである必要はない。
しかしながら従来は、上記の通り、同じ縦断面形状の長尺体を、長短二種類にカットして使用するのが通例であった。従って従来品によると、短い受け部材２が、必要以上の強度を有し、材料の使用量にロスがある、という問題があった。
【００１１】
それ故本発明の場合、短い受け部材２と長い受け部材３は、図２等に示されるように、縦断面の横幅Ｗは略同一で、縦幅Ｈが、長い受け部材３より短い受け部材２の方が短く形成されているのが好ましい（請求項３）。
なぜならこれによれば、短い受け部材２の必要強度を保ちながら、その使用材料を節減できるからである。なお、この本発明の場合、各部材２、３の縦幅Ｈの差は、例えば各部材２、３の形成材料や縦断面形状の違い等に応じて適宜選定されるので良い。
【００１２】
また本発明は、コーナー部材８の各当接面８ａに、短い受け部材２と長い受け部材３が嵌合可能に形成されているのが好ましい（請求項４）。
なぜならこれによると、連結する際に、各部材２、３の位置ずれを防止でき、また手を添えて支持する必要がないため、ネジ締め作業を楽にできるからである。
【００１３】
またこの場合、本発明は、コーナー部材８の各当接面８ａに、嵌合用の突起部１２が左右一対形成され、この突起部１２に嵌め合わされる段差部１３が、短い受け部材２と長い受け部材３の対応位置に形成されているのが好ましい（請求項５）。
なぜならこれによると、各受け部材を安定した姿勢でしっかりと嵌合できるからである。
【００１４】
また本発明は、短い受け部材２と長い受け部材３とコーナー部材８に、側壁パネル１４を載せるための壁載せ部２ｂ、３ｂ、８ｂが連通状に形成されると共に、コーナー部材８の壁載せ部８ｂに、側壁パネル１４と係合する凸部１５が形成されているのが好ましい（請求項６）。
なぜならこれによると、本発明品を利用して側壁パネル１４を立てることができ、その際、凸部１５によって側壁パネル１４の位置ずれを防止でき、側壁パネル１４の設置作業を楽にできるからである。
【発明の効果】
【００１５】
本発明は、このように浴槽を受ける部材が、一対の短い受け部材と、長い受け部材と、またこれらの部材の連結に使用するコーナー部材とを備え、短い受け部材と長い受け部材が真直ぐな棒状に形成されている。
従ってこれによれば、梱包や運搬、設置等の作業を容易化、迅速化でき、また長短二種類の部材を押し出し成形法で安価に形成できるから、プレス金型による場合に比べ、金型費を抑えることができる。
またコーナー部材は、短い受け部材と長い受け部材の長手方向と直交する方向の端面が突き合わされる当接面を、平面視で９０度隔てて備えている。
従ってこれによると、各部材の端面をコーナー部材の当接面に、例えばパッキンを介して突き合わせ、コーナー部材の裏側からネジを水平状態でネジ込むことで簡単、迅速、且つ楽に、しかも作業者によって大きな差を生じることなく、水密性良く強固に接続できる。
【図面の簡単な説明】
【００１６】
【図１】本発明の部材の好適な一実施形態を示し、Ａは設置時の斜視図、Ｂはコーナー部材の斜視図である。
【図２】本発明の部材の設置時の要部斜視図である。
【図３】短い受け部材の一部を切欠した要部斜視図である。
【図４】長い受け部材の一部を切欠した要部斜視図である。
【図５】本発明の部材の設置時の裏側下方から見た要部斜視図である。
【図６】本発明の部材の設置時の要部平面図である。
【図７】短い受け部材とエプロン部材との連結例を示す、エプロン部材の裏側から見た要部斜視図である。
【図８】短い受け部材とエプロン部材との連結例を示す、エプロン部材の表側（洗い場側）から見た要部斜視図である。
【図９】Ａ、Ｂとも、コーナー部材の他の実施形態を示す平面図である。
【発明を実施するための形態】
【００１７】
以下、本発明を実施するための好適な一実施形態を、添付図面に従って説明する。
本発明は、図１等に示されるように、浴槽１の短幅方向のフランジ部１ａを受ける真直ぐな棒状の一対の短い受け部材２と、浴槽１の長手方向のフランジ部１ｂを受ける真直ぐな棒状の長い受け部材３とが、平面視で略コの字形に連結され、浴槽１のフランジ部１ａ、１ｂの高さの浴室位置に設けられるものである。
【００１８】
４は、浴槽１を載置するための架台である。この架台４の、浴槽１のフランジ部１ａ、１ｂのコーナーに対応する位置には、支柱５が設けられている。
また６は、浴槽１の前側を覆うエプロン部材であり、７は洗い場パンである。
【００１９】
上記の短い受け部材２と長い受け部材３は、具体的には、例えばアルミニウム等の金属材を押し出し成形することで形成されている。
またこの実施形態の場合、短い受け部材２と長い受け部材３は、図２に示されるように、縦断面の横幅Ｗは略同一で、縦幅Ｈが、長い受け部材３より短い受け部材２の方が短く形成されている。
【００２０】
また本発明は、このように形成されている短い受け部材２と長い受け部材３が、コーナー部材８を介して連結されている。このコーナー部材８は、この実施形態では図１Ｂに示されるように、上記の各部材２、３の長手方向と直交する方向の端面が突き合わされる当接面８ａが、平面視で９０度隔てて鉤形状に隣り合わされ、且つ当接面８ａ同士の間の垂直状の境界線９を基準にして左右対称状に形成されている。なお、当接面８ａは、垂直面である。
【００２１】
また図３、図４等に示されるように、短い受け部材２と長い受け部材３の内側面等には、ネジ１０（図５参照）のネジ込み部２ａ、３ａが、長手方向に延びて形成されている。コーナー部材８には、このネジ込み部２ａ、３ａに、コーナー部材８の裏側（外側方）からネジ１０をネジ込み易くなるよう、ネジ孔１１が形成されている。
【００２２】
またこの実施形態の本発明品は、コーナー部材８の当接面８ａに、短い受け部材２と長い受け部材３が嵌合可能に形成されている。具体的には、図１Ｂ、図２に示されるように、コーナー部材８の各当接面８ａに、嵌合用の突起部１２が、左右一対形成され、この突起部１２と嵌係合する段差部１３が、短い受け部材２と長い受け部材３の外側面の対応位置に形成されている。
【００２３】
また本発明は、図１、図２に示されるように、短い受け部材２と長い受け部材３とコーナー部材８に、側壁パネル１４を載せるための壁載せ部２ｂ、３ｂ、８ｂが連通状に形成され、コーナー部材８の壁載せ部８ｂに、側壁パネル１４と係合する凸部１５が形成されている。この凸部１５は、この実施形態では、一対の突き出し片１５ａと、コーナー部材８の上面の隅に平面視で三角形状に形成されている凸段差部１５ｂとで形成されている。
【００２４】
上記の突き出し片１５ａは、図６に示されるように、樹脂製の側壁パネル１４の金属縦枠１４ａの下端と係合し、主として、この種の側壁パネル１４の位置ずれを防止するためのものである。また凸段差部１５ｂは、主として、側壁パネル１４が鋼板製のとき、この種の側壁パネル１４の固定に使用される。
【００２５】
また図７、図８に示されるように、短い受け部材２とエプロン部材６は、洗い場側からパッキン（図示せず）を介して水密状にネジ止めが可能になるよう、短い受け部材２は、その前端に、またエプロン部材６は、この前端に対応する左右の上部位置に、螺子孔１６が複数形成されている。またエプロン部材６の左右の上部位置は、同図に示されるように、短い受け部材２の上面形状と、縦断面の形状が略同一に形成され、浴槽１の短幅方向のフランジ部１ａや側壁パネル１４を受けることが可能になるよう形成されている。従って本発明の場合、上記の螺子孔１６やこの螺子孔１６にネジ込まれる螺子（図示せず）は、エプロン部材６に載置される浴槽１の長手方向のフランジ部１ｂ等で隠されることになる。
【００２６】
次に本発明品を設置するときの一例を説明する。
先ず作業者は、コーナー部材８の垂直状の当接面８ａに、短い受け部材２と長い受け部材３の端面を、各部材２、３のネジ込み部２ａ、３ａがコーナー部材８のネジ孔１１と一致するよう突き合わせる。この場合、作業者は、コーナー部材８の当接面８ａの突起部１２に、各部材２、３の段差部１３を嵌係合させ、各部材２、３の位置ずれを防止する。
なお、本発明の場合、各部材２、３は、現場で浴槽１の大きさに合わせて長尺体をカットし、端面を直角に切断して形成するのでも良い。
【００２７】
次に作業者は、コーナー部材８のネジ孔１１を利用して、コーナー部材８の裏側（外側方）からネジ１０（図５参照）を、当接面８ａと各部材２、３の端面との間にパッキン（図示せず）を挟んで各部材２、３のネジ込み部２ａ、３ａにネジ１０を締め込み、各部材２、３を、コーナー部材８を介して連結する。
なお、この実施形態の本発明品は、短い受け部材２と長い受け部材３の縦幅Ｈが異なるため、各部材２、３がコーナー部材８を介して連結されると、各部材２、３の上端の高さは同じであるため、下端が段違い状に形作られる。
【００２８】
次に作業者は、図５に示されるように、架台４から支柱５を立ち上げ、この支柱５の上端と、短い受け部材２及び長い受け部材３の下面とを、下方からネジ止めする。この場合、ネジ１０の上端は、短い受け部材２及び長い受け部材３の内部に止まるため、短い受け部材２及び長い受け部材３の浴槽受け面にネジ１０が突き出ることはない。
【００２９】
また作業者は、短い受け部材２の前端と、エプロン部材６の左右の上部とを、洗い場側からパッキンを介してネジ止めする。そして図１に示されるように、浴槽１を設置し、その後、図２に示されるように、壁載せ部２ｂ、３ｂ、８ｂに側壁パネル１４を設置する。
【符号の説明】
【００３０】
１      浴槽
１ａ    短幅方向のフランジ部
１ｂ    長手方向のフランジ部
２      短い受け部材
３      長い受け部材
８      コーナー部材
８ａ    当接面
【図１】
2010273932.tif 000003
【図２】
2010273932.tif 000004
【図３】
2010273932.tif 000005
【図４】
2010273932.tif 000006
【図５】
2010273932.tif 000007
【図６】
2010273932.tif 000008
【図７】
2010273932.tif 000009
【図８】
2010273932.tif 000010
【図９】
2010273932.tif 000011